(57)【要約】  着脱可能な利用者情報記憶手段に登録されている識別情報に基づいて発着信動作を行なう携帯端末装置において、利用者情報記憶手段が第三者保有のものに入れ替えられても遠隔操作により携帯端末装置を初期化することが可能となる初期化方法を提供するために、通信システムに、利用者情報履歴記憶手段１０２から、第１の識別情報と第２の識別情報とを取得して交換機１０４に通知する携帯端末装置１０１と、第２の識別情報について初期化対象記憶手段１０５を検索し、第２の識別情報を検出すると、第１の識別情報が登録されている利用者情報記憶手段１０２が装着された携帯端末装置１０１に対してデータの初期化を指示する交換機１０４と、を備える。
2009016684.tif 000002
【特許請求の範囲】
【請求項１】
利用者に関する情報を登録した利用者情報記憶手段を装着し、該利用者情報記憶手段に登録されている発着信情報に基づいて発着信動作を行なうことにより、交換機を介して２以上の携帯端末装置が通信を行なう通信システムにおいて、
第１の利用者情報記憶手段を検出すると、該第１の利用者情報記憶手段から前記利用者情報記憶手段毎に割り当てられている第１の識別情報を取得して利用者情報履歴記憶手段に記憶し、
該利用者情報履歴記憶手段から、前記第１の識別情報と、前記第１の利用者情報記憶手段の直前に装着されていた第２の利用者情報記憶手段における第２の識別情報と、を取得し、
前記第１の識別情報と、前記第２の識別情報と、を交換機に通知し、
該交換機からの指示に応じて自身が有する記憶手段内の所定のデータを初期化する携帯端末装置と、
前記通知を受けると、前記第２の識別情報について、初期化の対象となる携帯端末装置を登録する記憶手段であって、該携帯端末装置に装着されている前記利用者情報記憶手段に登録されている前記識別情報を登録する初期化対象記憶手段を検索し、
前記第２の識別情報を検出すると、該第２の識別情報を前記第１の識別情報に変更するとともに、該第１の識別情報が登録されている利用者情報記憶手段が装着された携帯端末装置に対してデータの初期化を指示する交換機と、
を備える通信システム。
【請求項２】
前記利用者情報記憶手段には、少なくとも前記識別情報と前記発着信情報とが登録される、ことを特徴とする請求項１に記載の通信システム。
【請求項３】
前記初期化対象記憶手段には、初期化の対象となる携帯端末装置に装着される利用者情報記憶手段に登録されている前記識別情報と前記発着信情報とが少なくとも登録される、ことを特徴とする請求項１に記載の通信システム。
【請求項４】
前記携帯端末装置から交換機への通知は、メッセージ通信によって行なわれることを特徴とする請求項１に記載の通信システム。
【請求項５】
前記交換機から携帯端末装置へのデータの初期化の指示は、メッセージ通信によって行なわれることを特徴とする請求項１に記載の通信システム。
【請求項６】
利用者に関する情報を登録した利用者情報記憶手段を装着し、該利用者情報記憶手段に登録されている発着信情報に基づいて発着信動作を行なうことにより、交換機を介して通信を行なう携帯端末装置のデータを初期化する方法において、
前記携帯端末装置が、第１の利用者情報記憶手段を検出すると、該第１の利用者情報記憶手段から前記利用者情報記憶手段毎に割り当てられている第１の識別情報を取得して利用者情報履歴記憶手段に記憶し、
該利用者情報履歴記憶手段から、前記第１の識別情報と、前記第１の利用者情報記憶手段の直前に装着されていた第２の利用者情報記憶手段における第２の識別情報と、を取得し、
前記第１の識別情報と、前記第２の識別情報と、を交換機に通知し、
前記通知を受けた交換機が、前記第２の識別情報について、初期化の対象となる携帯端末装置を登録する記憶手段であって、該携帯端末装置に装着されている前記利用者情報記憶手段に登録されている前記識別情報を登録する初期化対象記憶手段を検索し、
前記第２の識別情報を検出すると、該第２の識別情報を前記第１の識別情報に変更するとともに、該第１の識別情報を有する利用者情報記憶手段が装着された携帯端末装置に対してデータの初期化を指示し、
前記携帯端末装置が、前記交換機からの指示に応じて自身が有する記憶手段内の所定のデータを初期化する、
ことを特徴とするデータを初期化する方法。
【請求項７】
利用者に関する情報を登録した利用者情報記憶手段を装着し、該利用者情報記憶手段に登録されている発着信情報に基づいて発着信動作を行なうことにより、交換機を介して通信を行なう携帯端末装置において、
第１の利用者情報記憶手段を検出すると、該第１の利用者情報記憶手段から該利用者情報記憶手段毎に割り当てられている第１の識別情報を取得して利用者情報履歴記憶手段に記憶し、
該利用者情報履歴記憶手段から、前記第１の識別情報と、前記第１の利用者情報記憶手段の直前に装着されていた第２の利用者情報記憶手段における第２の識別情報と、を取得し、
前記第１の識別情報と、前記第２の識別情報と、を交換機に通知し、
該通知を受けた交換機が、初期化の対象となる携帯端末装置を登録する記憶手段であって、該携帯端末装置に装着されている前記利用者情報記憶手段に登録されている前記識別情報を登録する初期化対象記憶手段に、前記第２の識別情報を検出し、該第２の識別情報を前記第１の識別情報に変更するとともに、該第１の識別情報が登録された利用者情報記憶手段が装着された携帯端末装置に対してデータの初期化を指示すると、自身が有する記憶手段内の所定のデータを初期化する、
ことを特徴とする携帯端末装置。
【発明の詳細な説明】
【技術分野】
【０００１】
本発明は、携帯電話などの携帯端末装置が保持するデータを初期化する初期化方法に関する。
【背景技術】
【０００２】
近年、携帯電話などの携帯端末装置の高機能化が進むにつれて、ビジネスなどでの活用の途も広がってきている。そのため、携帯端末装置に重要なデータが保持される場合も多くなってきている。【０００３】
一方、携帯端末装置は小型・軽量化が進んで携帯性が向上した反面、紛失や盗難にさらされる機会も多い。
そこで、携帯端末装置を紛失し、或いは盗難にあった場合に、メッセージ通信等を利用して携帯端末装置を遠隔操作することにより、携帯端末装置が保持するデータを初期化して、情報の漏洩等を防止する技術が考えられている。【０００４】
しかし、利用者情報等を登録したＩＣカード（例えば、ＵＩＭ（Ｕｓｅｒ  Ｉｄｅｎｔｉｔｙ  Ｍｏｄｕｌｅ）カード）を装着し、そのＩＣカードに登録されている識別情報に基づいて発着信動作を行なう携帯端末装置の場合、ＩＣカードが第三者保有のものに入れ替えられると、その携帯端末装置とメッセージ通信を行なうことができなくなり、遠隔操作によるデータの初期化（又は削除）を行なうことができなくなるという問題があった。【０００５】
上記技術に関連して、特許文献１には、移動通信端末にＩＣカードが装着されると、ＩＣカードから読み出される特定の情報に基づいてＩＣカードの正当性を判断し、判断結果に応じて発着信動作を含む端末動作を制御する移動通信端末について開示されている。【０００６】
また、特許文献２には、移動通信端末機を初期化する際に、移動通信端末機に備わる保存装置に既に保存されたＩＭＳＩと、移動通信端末機に装着されたＳＩＭカードのＩＭＳＩと、を比較し、比較結果に応じて初期化課程を変更することにより、初期化時間を短縮する移動通信端末機の初期化方法について開示されている。
【特許文献１】特開２００４−０６４６５７号公報
【特許文献２】特開２００６−１５７９１３号公報
【発明の開示】
【０００７】
本発明は、上述した問題に鑑みてなされたものであり、その解決しようとする課題は、利用者情報等を登録したＩＣカード等の利用者情報記憶手段を装着し、その利用者情報記憶手段に登録されている識別情報に基づいて発着信動作を行なう携帯端末装置において、利用者情報記憶手段が第三者保有のものに入れ替えられても遠隔操作により携帯端末装置を初期化することが可能となる初期化方法を提供することである。
【０００８】
上記課題を解決するために、本発明に係る通信システムは、
利用者に関する情報を登録した利用者情報記憶手段を装着し、該利用者情報記憶手段に登録されている発着信情報に基づいて発着信動作を行なうことにより、交換機を介して２以上の携帯端末装置が通信を行なう通信システムにおいて、第１の利用者情報記憶手段を検出すると、該第１の利用者情報記憶手段から前記利用者情報記憶手段毎に割り当てられている第１の識別情報を取得して利用者情報履歴記憶手段に記憶し、該利用者情報履歴記憶手段から、前記第１の識別情報と、前記第１の利用者情報記憶手段の直前に装着されていた第２の利用者情報記憶手段における第２の識別情報と、を取得し、前記第１の識別情報と、前記第２の識別情報と、を交換機に通知し、該交換機からの指示に応じて自身が有する記憶手段内の所定のデータを初期化する携帯端末装置と、前記通知を受けると、前記第２の識別情報について、初期化の対象となる携帯端末装置を登録する記憶手段であって、該携帯端末装置に装着されている前記利用者情報記憶手段に登録されている前記識別情報を登録する初期化対象記憶手段を検索し、前記第２の識別情報を検出すると、該第２の識別情報を前記第１の識別情報に変更するとともに、該第１の識別情報が登録されている利用者情報記憶手段が装着された携帯端末装置に対してデータの初期化を指示する交換機と、を備える。
【０００９】
本発明によると、携帯端末装置は、利用者情報記憶手段を検出すると、利用者情報記憶手段から識別情報を取得して利用者情報履歴記憶手段に記憶する。そして、第１の識別情報と第２の識別情報を交換機に通知する。
【００１０】
また、交換機は、携帯端末装置から通知を受けると、第２の識別情報について、初期化対象記憶手段を検索し、第２の識別情報を検出すると、第２の識別情報を第１の識別情報に変更するとともに、第１の識別情報が登録されている利用者情報記憶手段が装着された携帯端末装置に対してデータの初期化を指示する。
【００１１】
したがって、利用者情報記憶手段が入れ替えられた場合であっても、携帯端末装置に対してデータの初期化指示を行なうことが可能となる。
以上のように、本発明によると、利用者情報等を登録したＩＣカード等の利用者情報記憶手段を装着し、その利用者情報記憶手段に登録されている識別情報に基づいて発着信動作を行なう携帯端末装置において、利用者情報記憶手段が第三者保有のものに入れ替えられても遠隔操作により携帯端末装置を初期化することが可能となる。
【図面の簡単な説明】
【００１２】
【図１】本発明の実施例に係る通信システムの動作原理を説明する図である。
【図２】本発明の実施例に係る携帯端末装置の具体的な構成例を示すブロック図である。
【図３】本発明の実施例に係る交換機の具体的な構成例を示すブロック図である。
【図４】本発明の実施例に係るＵＩＭ履歴テーブル／初期化対象テーブルの具体例を示す図である。
【図５】本発明の実施例に係る通信システムの具体的な動作を示すフローチャートである。
【発明を実施するための最良の形態】
【００１３】
以下、本発明の実施形態について、図１〜図５に基づいて説明する。
図１は、本発明の実施例に係る通信システムの動作原理を説明する図である。
図１に示す通信システム１００は、利用者情報記憶手段１０２を装着し、利用者情報記憶手段１０２に登録されている発着信情報に基づいて発着信動作を行なう携帯端末装置１０１と、携帯端末装置１０１からの発着信動作に応じて図示しない所定の基地局間を接続し、携帯端末装置１０１間を通信可能にする交換機１０４と、を備える。【００１４】
携帯端末装置１０１は、利用者に関する情報や、利用者情報記憶手段１０２を識別する識別情報、発着信動作に使用する発着信情報を登録した利用者情報記憶手段１０２を装着可能に備える。【００１５】
例えば、携帯端末装置１０１は、第１の利用者情報記憶手段ａを装着し、その後に、第１の利用者情報記憶手段ａを外して第２の利用者情報記憶手段ｂを装着することが可能となっている。【００１６】
携帯端末装置１０１は、第１の利用者情報記憶手段ａが装着された場合は、第１の利用者情報記憶手段ａに登録されている発着信情報に基づいて発着信動作を行ない、第２の利用者情報記憶手段ｂが装着された場合は、第２の利用者情報記憶手段ｂに登録されている発着信情報に基づいて発着信動作を行なう。【００１７】
また、携帯端末装置１０１は、装着された利用者情報記憶手段１０２の履歴を記憶する利用者情報履歴記憶手段１０３を備えている。利用者情報履歴記憶手段１０３には、例えば、装着された利用者情報記憶手段１０２から取得した識別情報や発着信情報を記憶する。【００１８】
一方、交換機１０４は、データを初期化する対象となる携帯端末装置１０１を登録する初期化対象記憶手段１０５を備えている。初期化対象記憶手段１０５には、例えば、データを初期化する対象となる携帯端末装置１０１に装着されている利用者情報記憶手段１０２に登録されている識別情報や発着信情報を登録する。【００１９】
携帯端末装置１０１に利用者情報記憶手段１０２が装着されると、携帯端末装置１０１は、利用者情報記憶手段１０２から識別情報及び発着信情報を取得し、利用者情報履歴記憶手段１０３に登録する。【００２０】
同時に、携帯端末装置１０１は、利用者情報履歴記憶手段１０３に登録されている識別情報及び発着信情報のうち、最新の２つの識別情報及び発着信情報を交換機１０４に通知する。【００２１】
ここで、利用者情報履歴記憶手段１０３に登録されている識別情報のうち、最新の識別情報を「第１の識別情報」、第１の識別情報の次に新しい識別情報を「第２の識別情報」とする。同様に、最新の発着信情報を「第１の発着信情報」、第１の発着信情報の次に新しい発着信情報を「第２の発着信情報」とする。【００２２】
通知を受けた交換機１０４は、第２の識別情報について、初期化対象記憶手段１０５を検索する。そして、初期化対象記憶手段１０５に登録されている第２の識別情報を検出すると、第２の識別情報及び発着信情報を、第１の識別情報及び発着信情報に置き換えるとともに、第１の発着信情報を用いてメッセージ通信を行なって、第１の識別情報が登録されている利用者情報記憶手段１０２が装着されている携帯端末装置１０１に対してデータの初期化を指示する。【００２３】
携帯端末装置１０１は、交換機１０４からデータの初期化の指示を受けると、自身に備わる図示しない記憶手段に記憶されている所定のデータの初期化を行なう。
以上に示した通信システムの具体的な構成例について以下に説明する。【００２４】
図２は、本発明の実施例に係る携帯端末装置１０１の構成例を示すブロック図である。
図２に示す携帯端末装置１０１は、利用者のデータを記憶するデータ記憶部２０１と、交換機１０４からの指示に応じてデータ記憶部２０１のデータを初期化する初期化処理部２０２と、交換機１０４等とのメッセージ通信に使用するＳＭＳ（ショート・メッセージ・サービス）メールの送受信を制御するＳＭＳメール送受信制御部２０３と、通信制御を行なう通信制御部２０４と、使用する無線規格に応じて基地局と無線通信を行なう無線制御部２０５と、着脱可能なＵＩＭカード２０６と、ＵＩＭカード２０６へのアクセスを制御するＵＩＭカード制御部２０７と、携帯端末装置１０１の操作に使用するキー操作部２０９と、任意の表示を行なう画面表示部２１０と、を備える。【００２５】
データ記憶部２０１は、例えば、利用者が必要に応じて保存するデータを記憶するフラッシュ・ロム等で構成されるメモリである。例えば、Ｅメールやテキストデータ、画像データなどが記憶される。【００２６】
初期化処理部２０２は、ＳＭＳメール送受信制御部２０３、通信制御部２０４及び無線制御部２０５を介して交換機１０４とメッセージ通信を行なう。なお、本実施例では、交換機１０４との通信に、ＳＭＳメールを使用したメッセージ通信を利用しているが、これに限定する趣旨ではない。必要に応じて他の通信手段を用いて交換機１０４と通信を行なってもよい。【００２７】
初期化処理部２０２は、交換機１０４からデータの初期化の指示を受けると、データ記憶部２０１に記憶されている所定のデータについて初期化を行なう。単に所定のデータのみの削除を行ってもよい。【００２８】
ここで、交換機１０４からの初期化の指示に、特定のデータ（例えば、記憶領域やデータの種類）を指定するようにしてもよい。この場合、初期化処理部２０２には、交換機１０４からの初期化の指示で指定された特定のデータのみを初期化させるようにすればよい。【００２９】
ＵＩＭ履歴記憶部２０８は、ＵＩＭカード制御部２０７を介してＵＩＭカード２０６の装着を検出すると、ＵＩＭカード２０６に登録されているＵＩＭ番号、ＳＭＳメール送信先番号を取得し、ＵＩＭ履歴テーブルに記憶する。【００３０】
同時に、ＵＩＭ履歴記憶部２０８は、ＵＩＭ履歴テーブルに登録されたＵＩＭ番号のうち、最新の２つを取得する。そして、取得したＵＩＭ番号とＳＭＳメール送信先番号を、ＳＭＳメール送受信制御部２０３、通信制御部２０４及び無線制御部２０５を介して交換機１０４に通知する。【００３１】
ＵＩＭ履歴テーブルに登録されたＵＩＭ番号のうち、最新のＵＩＭ番号（最後に登録されたＵＩＭ番号）を「第１のＵＩＭ番号」、第１のＵＩＭ番号の次に新しいＵＩＭ番号（第１のＵＩＭ番号の前に登録されたＵＩＭ番号）を「第２のＵＩＭ番号」とする。同様に、最新のＳＭＳメール送信先番号を「第１のＳＭＳメール送信先番号」、第１のＳＭＳメール送信先番号の次に新しいＳＭＳメール送信先番号を「第２のＳＭＳメール送信先番号」とする。【００３２】
ここで、ＵＩＭカードは、図１に示した利用者情報記憶手段１０２の具体例である。また、ＵＩＭ番号は、図１に示した識別番号の具体例である。ＳＭＳメール送信先番号は、図１で説明した発着信情報の具体例であり、例えば、交換機１０４が携帯端末装置１０１とメッセージ通信を行なう場合、ＳＭＳメール送信先番号に基づく発着信動作を行なう。また、ＵＩＭ履歴テーブルは、利用者情報履歴記憶手段１０３の具体例である。【００３３】
図３は、本発明の実施例に係る交換機１０４の具体的な構成例を示すブロック図である。
図３に示す交換機１０４は、データの初期化対象を記憶する初期化対象記憶部３０１と、通知を受けたＵＩＭ番号の携帯端末装置１０１がデータの初期化対象か否かを判別し、携帯端末装置１０１に対してデータの初期化の指示を行なう初期化制御部３０２と、携帯端末装置１０１とのメッセージ通信に使用するＳＭＳメールの送受信を制御するＳＭＳメール送受信制御部３０３と、通信制御を行なう通信制御部３０４と、交換機１０４に初期化対象の携帯端末装置１０１を登録する等に使用するデータ入力部３０５と、任意の表示を行なう画面表示部３０６と、を備える。【００３４】
また、交換機１０４は、携帯端末装置１０１と無線通信を行なう基地局３１０と接続されている。この基地局３１０には、使用する無線規格に応じて携帯端末装置１０１と無線通信を行なう無線制御部３１１が備わる。【００３５】
初期化対象記憶部３０１は、利用者等がデータ入力部３０５からデータの初期化対象の携帯端末装置１０１のＵＩＭ番号、ＳＭＳメール送信先番号を入力すると、そのＵＩＭ番号、ＳＭＳメール送信先番号を取得し、データの初期化の対象を登録する初期化対象テーブルに登録する。【００３６】
初期化制御部３０２は、ＳＭＳメール送受信制御部２０３、通信制御部２０４及び無線制御部３１１を介して携帯端末装置１０１とＳＭＳメール送信先番号に基づいてメッセージ通信を行なう。【００３７】
そして、携帯端末装置１０１から第１及び第２のＵＩＭ番号の通知を受けると、初期化制御部３０２は、第２のＵＩＭ番号について初期化対象テーブルを検索する。そして、初期化対象テーブルに第２のＵＩＭ番号を検出すると、その第２のＵＩＭ番号及びＳＭＳメール送信先番号を第１のＵＩＭ番号及びＳＭＳメール送信先番号に入れ替えるとともに、第１のＳＭＳメール送信先番号に基づいて携帯端末装置１０１とメッセージ通信を開始し、当該携帯端末装置１０１に対してデータの初期化を指示する。【００３８】
なお、初期化対象テーブルには、初期化したい記憶領域やデータの種類（例えば、Ｅメール、画像データ等）などを登録できるようにしてもよい。この場合、携帯端末装置１０１に対して初期化の指示とともに、初期化したい記憶領域やデータの種類なども通知するようにすればよい。【００３９】
ここで、初期化対象テーブルは、図１に示した初期化対象記憶手段１０５の具体例である。
図４は、本発明の実施例に係るＵＩＭ履歴テーブル／初期化対象テーブルの具体例を示す図である。本実施例に係るＵＩＭ履歴テーブルと初期化対象テーブルは、同じ構成のテーブルを使用している。構成が同じなので、以下、ＵＩＭ履歴テーブルについて説明する。【００４０】
図４に示すＵＩＭ履歴テーブル４００は、ＵＩＭカード２０６毎に割り当てられているＵＩＭ番号と、ＳＭＳメール送信先番号（例えば、電話番号）と、で構成されている。このＵＩＭ番号とＳＭＳメール送信先番号は、いずれもＵＩＭカード２０６に登録されている情報である。【００４１】
図５は、本発明の実施例に係る通信システム１００の具体的な動作を示すフローチャートである。
ステップＳ５０１ａにおいて、携帯端末装置１０１にＵＩＭカード２０６が装着されると、携帯端末装置１０１はＵＩＭカード２０６を検出する。この時検出したＵＩＭカード２０６のＵＩＭ番号をＵＩＭ＃１、ＳＭＳメール送信先番号を０９０−１１１１−１１１１とする。【００４２】
ステップＳ５０２ａにおいて、携帯端末装置１０１は、ＵＩＭカード２０６からＵＩＭ番号とＳＭＳメール送信先番号を取得し、ＵＩＭ履歴テーブルに登録する。
ステップＳ５０３ａにおいて、携帯端末装置１０１からＵＩＭカード２０６が取り外され、新たなＵＩＭカード２０６が装着されると、ステップＳ５０４ａにおいて、携帯端末装置１０１は、新たに装着されたＵＩＭカード２０６を検出する。この時検出したＵＩＭカード２０６のＵＩＭ番号をＵＩＭ＃２、ＳＭＳメール送信先番号を０９０−１１１１−２２２２とする。【００４３】
ステップＳ５０５ａにおいて、携帯端末装置１０１は、ＵＩＭカード２０６からＵＩＭ番号とＳＭＳメール送信先番号を取得し、ＵＩＭ履歴テーブルに登録する。
ステップＳ５０６ａにおいて、携帯端末装置１０１は、ＵＩＭ履歴テーブルを参照し、最後に登録されたＵＩＭ番号、すなわち、ＵＩＭ履歴テーブルに登録された最新のＵＩＭ番号（ＵＩＭ＃２）と、そのＵＩＭ番号の直近に登録されたＵＩＭ番号、すなわち、次に新しいＵＩＭ番号（ＵＩＭ＃１）と、を取得し、両ＵＩＭ番号を比較する。【００４４】
ステップＳ５０７ａにおいて、両ＵＩＭ番号が一致しない場合、携帯端末装置１０１は、処理をステップＳ５０８ａに移行する。両ＵＩＭ番号が一致した場合、携帯端末装置１０１は、ステップＳ５１１ａに移行してデータの初期化処理を終了する。【００４５】
ステップＳ５０８ａにおいて、携帯端末装置１０１は、交換機１０４に対してＵＩＭカード２０６が入れ替えられた旨を通知するとともに、ＵＩＭ番号（ＵＩＭ＃１、ＵＩＭ＃２）をＳＭＳメール送信先番号とともに通知する。【００４６】
一方、ステップＳ５０１ｂにおいて、利用者等が、データを初期化したい携帯端末装置１０１に装着されているＵＩＭカード２０６のＵＩＭ番号及びＳＭＳメール送信先番号を入力すると、交換機１０４は、当該ＵＩＭ番号及びＳＭＳメール送信先番号を初期化対象テーブルに登録する。【００４７】
利用者等が入力したＵＩＭ番号、ＳＭＳメール送信先番号は、それぞれＵＩＭ＃１、０９０−１１１１−１１１１であると仮定する。
ステップＳ５０２ｂにおいて、交換機１０４は、初期化対象テーブルに登録されたＵＩＭ＃１を装着した携帯端末装置１０１に対して、０９０−１１１１−１１１１に基づくメッセージ通信を利用してデータの初期化指示を行なう。【００４８】
しかし、この時点で携帯端末装置１０１に装着されていたＵＩＭ＃１のＵＩＭカードは取り外され、ＵＩＭ＃２のＵＩＭカードが装着されているので、通信に失敗する。
ステップＳ５０３ｂにおいて、交換機１０４は、携帯端末装置１０１からＵＩＭ入れ替え通知を受けると、ＵＩＭ＃１について、初期化対象テーブルを検索する。【００４９】
ステップＳ５０４ｂにおいて、検索の結果ＵＩＭ＃１を検出すると、交換機１０４は、処理をステップＳ５０５ｂに移行する。そして、初期化対象テーブルに登録されているＵＩＭ＃１及び０９０−１１１１−１１１１を、ＵＩＭ＃２及び０９０−１１１１−２２２２に入れ替える。【００５０】
ステップＳ５０６ｂにおいて、交換機１０４は、ＵＩＭ＃２のＵＩＭカードが装着した携帯端末装置１０１に対して、０９０−１１１１−２２２２に基づくメッセージ通信を利用してデータの初期化指示を行なう。そして、ステップＳ５０７ｂにおいて、携帯端末装置１０１からデータの初期化処理が完了した旨の通知を受けると、交換機１０４は、ステップＳ５０７ｂに移行し、データの初期化処理を終了する。【００５１】
一方、ステップＳ５０９ａにおいて、交換機１０４からデータの初期化指示を受けると、ＵＩＭ＃２のＵＩＭカードを装着した携帯端末装置１０１は、所定のデータについて初期化処理を行なう。【００５２】
ステップＳ５１０ａにおいて、データの初期化処理が完了すると、携帯端末装置１０１は、交換機１０４に対して、データの初期化処理が完了した旨を通知する。そして、携帯端末装置１０１は、ステップＳ５１１ａに移行してデータの初期化処理を終了する。【００５３】
以上に説明したように、本実施例に係る携帯端末装置１０１は、装着されたＵＩＭカードのＵＩＭ番号とＳＭＳメール送信先番号をＵＩＭ履歴テーブルに記憶し、ＵＩＭカードの入れ替えを検出すると、入れ替えの前と後に装着されていたＵＩＭカードのＵＩＭ番号（ＵＩＭ＃１、ＵＩＭ＃２）、ＳＭＳメール送信先番号（０９０−１１１１−１１１１、０９０−１１１１−２２２２）を交換機１０４に通知する（ステップＳ５０８ａ）。【００５４】
また、本実施例に係る交換機１０４は、携帯端末装置１０１からＵＩＭ入れ替え通知ともにＵＩＭ番号及びＳＭＳメール送信先番号を受け取ると、入れ替え前のＵＩＭ番号（ＵＩＭ＃１）が初期化対象テーブルに登録されているか否かをチェックする（ステップＳ５０３ｂ）。【００５５】
そして、該当するＵＩＭ番号を検出すると、当該ＵＩＭ番号（ＵＩＭ＃１）とＳＭＳメール送信先番号（０９０−１１１１−１１１１））を入れ替え後のＵＩＭ番号（ＵＩＭ＃２）とＳＭＳメール送信先番号（０９０−１１１１−２２２２）に入れ替えるとともに（ステップＳ５０５ｂ）、入れ替え後のＳＭＳメール送信先番号（０９０−１１１１−２２２２）に基づいてメッセージ通信を行なって携帯端末装置１０１にデータの初期化指示を行なう。【００５６】
その結果、着脱可能なＵＩＭカードに登録されているＳＭＳメール送信先番号（又は、電話番号）に基づいて発着信動作を行なう携帯端末装置１０１において、ＵＩＭカードが交換されたために当該携帯端末装置１０１と通信が行なえない状態になっても、当該携帯端末装置１０１と通信を可能にする。そして、当該通信により携帯端末装置１０１に対して遠隔操作を行なうことが可能となる。さらに、当該通信によりデータの初期化指示を行なって、当該携帯端末装置１０１が保持する所定のデータを初期化することが可能となる。
【図１】
2009016684.tif 000003
【図２】
2009016684.tif 000004
【図３】
2009016684.tif 000005
【図４】
2009016684.tif 000006
【図５】
2009016684.tif 000007
【国際調査報告】
2009016684.tif 000008
2009016684.tif 000009
2009016684.tif 000010
2009016684.tif 000011